(57)【要約】【課題】  簡単な構造により、振動が加えられた場合にドアのヒンジ部が破壊されたりドアが開いたりすることを防止できる電気電子機器収納用キャビネットを提供する。【解決手段】電気電子機器収納用キャビネットのドア２の裏面のレール５に、地震等による振動を受けたときにキャビネット本体１の開口部内側面に当接し、ドア２の振幅を抑制するための緩衝材９を取付ける。緩衝材９はドア裏面のレール５のコーナー連結部材７に取付けた構造とすることが好ましい。【選択図】    図４
2006230514.tif 000002
【特許請求の範囲】
【請求項１】
電気電子機器収納用キャビネットにおいて、キャビネット本体の開口部内側面に当接する緩衝材を、ドアの裏面に設けたレールに取付けたことを特徴とする電気電子機器収納用キャビネット。
【請求項２】
緩衝材を、ドア裏面に設けたレールのコーナー連結部材に取付けたことを特徴とする請求項１に記載の電気電子機器収納用キャビネット。
【請求項３】
緩衝材を、ドア上辺のヒンジ部から離れた側に取付けたことを特徴とする請求項１または２に記載の電気電子機器収納用キャビネット。
【発明の詳細な説明】
【技術分野】
【０００１】
本発明は、耐震強度を高めた電気電子機器収納用キャビネットに関するものである。
【背景技術】
【０００２】
大型の電気電子機器収納用キャビネットには、内部機器を収納するため、ドアやパネルが設けられていた。(特許文献１）
【０００３】
このような電気電子機器収納用キャビネットが地震等により揺すられた場合、ドアは片側をヒンジによりキャビネット本体に取付けられているだけであるため、大きく振動してヒンジ部が破壊されたり、ドアが開いてしまう可能性があった。
【特許文献１】特開２００３―０９３１７０号公報
【発明の開示】
【発明が解決しようとする課題】
【０００４】
本発明は上記した従来の問題点を解決して、簡単な構造により、振動が加えられた場合にドアのヒンジ部が破壊されたりドアが開いたりすることを防止できる電気電子機器収納用キャビネットを提供することを目的とするものである。
【課題を解決するための手段】
【０００５】
上記の課題を解決するためになされた本発明は、電気電子機器収納用キャビネットが振動を受けたときキャビネット本体の開口部内側面に当接する緩衝材を、ドアの裏面に設けたレールに取付けたことを特徴とするものである。
なお、緩衝材をドア裏面に設けたレールのコーナー連結部材に取付けた構造とすることが好ましく、緩衝材をドア上辺のヒンジ部から離れた側に取付けた構造とすることが好ましい。
【発明の効果】
【０００６】
本発明の電気電子機器収納用キャビネットは、ドアの裏面に設けたレールに緩衝材を取付け、振動を受けてドアが振動したときにこの緩衝材をキャビネット本体の開口部内側面に当接させ、ドアの振幅を抑制する。このため、緩衝材を取付けただけの簡単な構造により、振動が加えられた場合にドアのヒンジ部が破壊されたりドアが開いたりすることを防止することができる。また通常のドアの開閉に全く支障を生じない。
【発明を実施するための最良の形態】
【０００７】
以下に本発明の好ましい実施形態を、図面を参照しつつ詳細に説明する。
図１は本発明の実施形態である電気電子機器収納用キャビネットの斜視図であり、１はキャビネット本体、２はドアである。本実施形態のキャビネット本体１は、１２本のフレーム枠３により直方体を構成し、その外面に鋼板製のパネル４を取付けた構造のものである。ドア２も鋼板製のパネルの端部を折り曲げ成形したものであるが、その裏面には図１に示すように機器を取付けるためのレール５が取付けられている。
【０００８】
図２、図３に示されるように、レール５はキャビネット本体１のフレーム枠３よりも細いレール本体６と、４本のレール本体６の端部間を相互に接続するコーナー連結部材７とからなるもので、図示しないボススタッド等によりドア２に強固に固定されている。コーナー連結部材７は、直交するレール本体６の端部に挿入できる突起８を直角方向に備えたものである。フレーム枠３及びレール５には一定ピッチで多数の孔が形成されており、任意の高さに内部機器を取付けることができるようになっている。
【０００９】
この実施形態では、ドア裏面のレール５のコーナー連結部材７に、緩衝材９を取付けた。緩衝材９はゴムあるいは軟質樹脂のような弾性体からなり、この実施形態ではドーム状の頭部１０と軸部１１とを備え、コーナー連結部材７の上面に形成されたＵ字状の取付溝１２に固定されている。なお、軸部１１をコーナー連結部材７の上面もしくはＵ字開口部から挿入しても、粘着材等によって固定してもよい。
【００１０】
図４に示されるように、緩衝材９はキャビネット本体１のフレーム枠３の開口部内側面の直下に位置し、地震等によってドア２が振動したときにフレーム枠３の開口部内側面に当たり、ドア２の振動を抑制するものである。従って、緩衝材９は常時は図４に示されるようにフレーム枠３との間にクリアランスを持たせて配置されており、通常時のドア２の開閉に影響しない。キャビネットの大きさにもよるが、好ましいクリアランスは３〜５ｍｍ程度である。
【００１１】
またこのような効果を最も効果的に発揮させるためには、緩衝材９を実施形態のようにドア２をキャビネット本体１に枢着しているヒンジ部１３から離れた側のドア上辺に取付けることが好ましい。この部分の振幅が最大になるためである。なお、ドア２の下辺は自重により垂れ下がっても床や基台にドア２が擦れないよう、キャビネット本体１のフレーム枠３とのクリアランスを上辺よりも大きく取ってあるのが普通である。しかしこのクリアランスが小さい場合には、緩衝材９をドア２の下辺に取付けることもできる。
【００１２】
上記の実施形態では緩衝材９をレール５のコーナー連結部材７に取付けたが、図５に示すようにドア２の裏面のレール５のレール本体６に直接取付けることも可能である。
【００１３】
このように構成された本発明の電気電子機器収納用キャビネットは、地震等によりドア２が振動した場合にも、緩衝材９がキャビネット本体１のフレーム枠３に当たり、キャビネット本体１に対するドア２の振幅を抑制する。このためドア２のヒンジ部１３が破壊されたり、ドア２が開いたりすることを防止することができる。なお、緩衝材９はドア２のレール５に取付けられており、レール５はドア２を構成する鋼板製のパネルにボススタッド等によって強固に固定されている。また鋼板製のパネル自体は十分な面強度を備えている。このためドア２自体が破壊される可能性は少ないと考えられる。
【００１４】
以上に説明したように、本発明の電気電子機器収納用キャビネットは、ドア２のレール５に緩衝材９を取付けただけの簡単な構成であるため、ほとんどコストがかからないうえ、通常時のドア２の開閉にも支障がない利点がある。なお、ここではキャビネット本体がフレーム枠にパネルを取付けた構造のものについて説明したが、キャビネット本体１がパネルを折り曲げて構成されたものでもよい。また、レール５は機器を取付けるためのものであっても、ドア補強用のものであってもよい。
【図面の簡単な説明】
【００１５】
【図１】本発明の実施形態を示す斜視図である。
【図２】ドア裏面の斜視図である。
【図３】レールの分解斜視図である。
【図４】キャビネット内部から見た要部の斜視図である。
【図５】他の実施形態を示す斜視図である。
【符号の説明】
【００１６】
１  キャビネット本体
２  ドア
３  フレーム枠
４  パネル
５  レール
６  レール本体
７  コーナー連結部材
８  突起
９  緩衝材
１０  頭部
１１  軸部
１２  取付溝
１３  ヒンジ部
【図１】
2006230514.tif 000003
【図２】
2006230514.tif 000004
【図３】
2006230514.tif 000005
【図４】
2006230514.tif 000006
【図５】
2006230514.tif 000007